(57)【要約】      （修正有）【課題】老若男女誰が履いても、早く歩くことができ、なお且つ疲れない履物及び中敷きを提供する。【解決手段】履物及び履物用中敷き１の足裏を保持する面５には、土踏まずに相当する部位に、通常より土踏まずが持ち上げられた状態となり、足裏を保持する面と足の拇指球及び踵の間に隙間を形成することができる凸状の肉厚部分２を形成し、肉厚部分２の踵側縁部から踵Ｃに相当する部位にカップ状の踵保持部を形成し、凸状の肉厚部分２の中間には任意の形状の窪み４を形成する。【選択図】図１
2014200644.tif 000002
【特許請求の範囲】
【請求項１】
履物及び履物用中敷きであって、
前記履物及び履物用中敷きの足裏を保持する面は、土踏まずに相当する部位に凸状の肉厚部分を形成し、前記肉厚部分の踵側縁部から踵に相当する部位にカップ状の踵保持部を形成することを特徴とする履物及び履物用中敷き。
【請求項２】
前記凸状の肉厚部分の中間には任意の形状の窪みを形成することを特徴とする請求項１に記載の履物及び履物用中敷き。
【発明の詳細な説明】
【技術分野】
【０００１】  本発明は、疲れずに早く歩ける履物及び履物用中敷きに関するものである。
【背景技術】
【０００２】  土踏まずに相当する部分が山形状になった靴中敷きがあった。
【先行技術文献】
【特許文献】
【０００３】
【特許文献１】  実願昭６２−７７６８６号広報
【発明の内容】
【発明が解決しようとする課題】
【０００４】  特許文献１に記載の靴中敷きは、土踏まずの部分が山形状になっていることと、足の内側部位が高く、外側部位が低い形状のものだった。
【０００５】  本発明は、歩行時に拇指球と踵を遊ばせて歩くことができる構造とする履物及び履物用中敷きである。
【課題を解決するための手段】
【０００６】  請求項１に記載の本発明の履物及び履物用中敷きは、履物及び履物用中敷きの足裏を保持する面には、土踏まずに相当する部位に凸状の肉厚部分を形成し、肉厚部分の踵側縁部から踵に相当する部位にカップ状の踵保持部を形成することを特徴とする。
【０００７】  請求項２に記載の本発明の履物及び履物用中敷きは、凸状の肉厚部分の中間には任意の形状の窪みを形成することを特徴とする。
【発明の効果】
【０００８】  請求項１に記載の本発明の履物及び履物用中敷きは、足裏を保持する面の土踏まずに相当する部位に凸状の肉厚部分を形成することで、通常より土踏まずが持ち上げられた状態となり、足裏を保持する面と足の拇指球及び踵の間に隙間を形成することができる。足裏を保持する面と拇指球及び踵の間に隙間を形成することで拇指球と踵を遊ばせながら歩くことが可能となり、歩く時に足首に負担のかからない歩行ができるようになる。また、拇指球と踵が遊ぶことにより、直接地面から受ける振動衝撃を抑制することができ、疲れずに且つ速度の速い歩行ができるという優れた効果を発揮する。
【０００９】  請求項２に記載の本発明の履物及び中敷きは、凸状の肉厚部分に任意の窪みを形成することで足裏に加わる圧力や圧迫感を抑制することができる。肉厚部分に窪みや孔を形成することで、上から加わる圧力を拡散させることができ、歩行時に土踏まずに加わる圧力や圧迫感を取り除き、疲れずに長時間歩行ができるという優れた効果を発揮する。
【図面の簡単な説明】
【００１０】
【図１】  本発明の履物及び履物用中敷きの側面断面図である。
【図２】  本発明の履物及び履物用中敷きの平面図である。
【図３】  本発明の履物及び履物用中敷きの第２の実施例の斜視図である。
【図４】  本発明の履物及び履物用中敷きの第２の実施例の側面断面図である。
【図５】  本発明の履物及び履物用中敷きの第２の実施例のＡ−Ａ′線断面図である。
【発明を実施するための最良の形態】
【００１１】  以下、本発明を図面に示す。実施形態図１〜５に基づき説明をする。ただし、以下の実施をするための形態は、本発明の履物及び履物用中敷きの一例として説明するものであり、この説明の図の項に限定されるものではない。【００１２】  図１は、本発明の履物及び履物用中敷きを足に装着した側面断面図である。履物１、肉厚部分２、溝３・３、′窪み４、足裏を保持する面５、指先ａ、拇指球ｂ、踵ｃから構成される。図１のように、本発明の履物及び履物用中敷きを装着し、直立した際には、足裏を保持する面５と、拇指球ｂ及び踵ｃの間に隙間ができるように形成されている。本発明の履物及び履物用中敷きは、肉厚部分２に土踏まず全体が乗るように形成することが肝要である。【００１３】  図２は、本発明の履物及び履物用中敷きの足裏を保持する面の平面図である。肉厚部分２、溝３・３′、窪み４、足裏を保持する面５から構成される。溝３・３′は歩行時に足を着地する際の振動及び衝撃を吸収するためのクッションの役割を果たすものである。溝３、３′は、切り込み状の溝に形成することができるが、肉厚部分２の内部に空気室を形成することもできる。また、窪み４は、足裏に加わる圧力を拡散させ、足裏を圧迫する力を逃がすためのものであり、加えて足の裏を安定的に保持するためのものである。図２では、窪み４は円形に形成されているが、形状及び大きさ、深さの程度は目的により随意決定することができる。【００１４】  図３は、本発明の履物及び履物用中敷きの第２の実施例の斜視図である。中敷きの第２の実施例６、肉厚部分７、窪み８、足裏を保持する面９、踵に相当する部位１０、肉厚部分７の踵側の縁部１１、肉厚部分７の指先側縁部１２から構成される。踵に相当する部位１０はカップ状になっており、踵と足首を安定させる部位である。また、土踏まずに相当する部位が凸状に肉厚であることと、踵を保持する部位が肉薄になっていることから、通常の立位の場合、否が応でも土踏まずが下がり、指先側が上がることになる。この状態から歩行を始めた場合、主に踵と土踏まずを使った背筋の真っ直ぐな姿勢で歩くことになり、前傾姿勢にならずに姿勢の良い歩行ができることになる。【００１５】  図４は、本発明の履物及び中敷きの第２の実施例の側面図である。肉厚部分７、窪み８、足裏を保持する面９、踵に相当する部位１０、肉厚部分７の踵側の縁部１１、肉厚部分７の指先側縁部１２、切り取り部分Ａ、Ａ′線から構成される。土踏まずに相当する部位に肉厚部分７を形成することにより、歩行時に土踏まず全体が常時肉厚部分７に乗り浮き上がった状態となる。これにより、足裏を保持する面９と拇指球及び踵との間に隙間ができ拇指球と踵を遊ばせて歩くことが可能になる。【００１６】  通常は、踵から着地して拇指球が支点となり指先で蹴り上げるという歩行が一般的だが、この歩行方法だと、足の着地時に踵に負担がかかり、最後の蹴り上げの際には拇指球や足首に負担がかかる。本発明の履物及び履物用中敷きは、歩行時に踵から着地する際には肉厚部分７の踵側縁部１１が支点となり、また、蹴り上げる時には、肉厚部分７の指先側縁部１２が支点となる。着地時の踵側と、蹴り上げ時の指先側の足の前後に支点があることで、軽く足が上がり、踵や拇指球、更には足首への負担も軽減され誰もが軽い足取りで長時間の歩行が可能となる。【００１７】  また、通常の歩行時の蹴り上げの際には、力点となる拇指球の負担が大きいが、本発明の場合には、力点の位置が指先となり指先側の負担が大きくなる。通常の考えであれば、肉厚部分７の指先側縁部１２が支点となり拇指球が力点となって、支点と力点の距離が短い分作用効果は大きくなる。しかし、本発明の履物及び履物用中敷きは、肉厚部分７の指先側縁部１２が支点となり指先が力点となることから、支点１２から力点となる指先までの距離が長くなり、作用効果が小さくなる。作用効果が小さい分、通常より力を必要とする歩行が求められることになる。力点となる指先を使い、次に指腹、拇指球の順に通常より強い力で蹴り上げることで、自然と歩幅が大きくなり速度の速い歩行をすることができる。歩幅が大きく速度の速い歩行により、足裏の筋肉を効果的に伸縮させて歩くことができ、足裏からつながる下半身、上半身の筋肉にまで広く刺激を与えることができる。これらの構造により、疲れず長時間歩くことができ、なお且つ体力向上にも寄与できる。【００１８】  図５は、本発明の履物及び中敷きの第２の実施例図４のＡ−Ａ′線断面図である。窪み８、踵に相当する部位１０、支点１１、１２から構成される。踵に相当する部位１０と支点１１、１２の高低差は使用対象者によって随意決定することができ、支点１１、１２の位置も対象者、目的により製造時点で随意決定することができる。
【産業上の利用可能性】
【００１９】  子供から年輩者まで、気楽にどこでも誰でも疲れずに長時間歩ける履物及び中敷きを提供する。
【符号の説明】
【００２０】  １          履物及び履物用中敷き
２、７      肉厚部分
３、３′    溝
４、８      窪み
５、９      足裏を保持する面
６          履物及び履物用中敷きの第２の実施例
１０        踵に相当する部位
１１、１２  支点
ａ          指先
ｂ          拇指球
ｃ          踵
Ａ、Ａ′    切り取り部分
【図１】
2014200644.tif 000003
【図２】
2014200644.tif 000004
【図３】
2014200644.tif 000005
【図４】
2014200644.tif 000006
【図５】
2014200644.tif 000007